【手続補正書】
【提出日】平成17年9月15日(2005.9.15)
【手続補正１】
【補正対象書類名】明細書
【補正対象項目名】特許請求の範囲
【補正方法】変更
【補正の内容】
【特許請求の範囲】
【請求項１】
１フレーム期間に第１の期間と第２の期間と第３の期間とが出現する発光装置の駆動方法であって、
前記第１、前記第２及び前記第３の期間において、前記発光装置が有する第１のトランジスタと第２のトランジスタはゲートが互いに接続されており、前記第２のトランジスタのゲートと前記第２のトランジスタの第２の端子が接続されており、前記第２のトランジスタの第２の端子は前記発光装置が有する第３のトランジスタの第１の端子に接続されており、前記第３のトランジスタの第２の端子は前記発光装置が有する発光素子の画素電極に接続されており、
前記第１の期間において、前記第１のトランジスタの第２の端子と前記第３のトランジスタのゲートが接続され、ビデオ信号の電圧によって定められた電流が前記第１のトランジスタの第１の端子と第２の端子の間に流れ、なおかつ前記第１及び前記第２のトランジスタの第１の端子に第１の電圧が印加され、
前記第２の期間において、前記第１のトランジスタの第２の端子と前記第３のトランジスタのゲートが電気的に分離され、なおかつ前記第１及び前記第２のトランジスタの第１の端子に前記第１の電圧が印加され、
前記第３の期間において、前記第１のトランジスタの第２の端子と前記第３のトランジスタのゲートが接続され、前記第１及び第２のトランジスタのゲートに第２の電圧が印加されることで前記第２のトランジスタがオンになり、なおかつ前記第１及び第２のトランジスタの第１の端子に第３の電圧が印加され、
前記第１の電圧と前記第３の電圧は、前記発光素子の対向電極の電圧を基準として極性が逆になっており、
前記第３の期間において前記発光素子に印加される電圧は逆方向バイアスであることを特徴とする発光装置の駆動方法。
【請求項２】
１フレーム期間に第１の期間と第２の期間と第３の期間とが出現する発光装置の駆動方法であって、
前記第１、前記第２及び前記第３の期間において、前記発光装置が有する第１のトランジスタの第２の端子は、前記発光装置が有する第２のトランジスタの第１の端子に接続されており、前記第２のトランジスタの第２の端子は前記発光装置が有する発光素子の画素電極に接続されており、
前記第１の期間において、前記第１のトランジスタのゲートと前記第１のトランジスタの第２の端子が接続されており、ビデオ信号の電圧によって定められた電流が前記第１のトランジスタの第１の端子と第２の端子の間に流れ、なおかつ前記第１のトランジスタの第１の端子に第１の電圧が印加され、前記第２のトランジスタはオフになっており、
前記第２の期間において、前記第１のトランジスタの第１の端子に前記第１の電圧が印加され、前記第２のトランジスタはオンになっており、前記第１のトランジスタのゲートと第２の端子が電気的に分離されており、
前記第３の期間において、前記第１のトランジスタのゲートに第２の電圧が印加されることで前記第１のトランジスタがオンになり、なおかつ前記第１のトランジスタの第１の端子に第３の電圧が印加され、前記第２のトランジスタはオンになっており、
前記第１の電圧と前記第３の電圧は、前記発光素子の対向電極の電圧を基準として極性が逆になっており、
前記第３の期間において前記発光素子に印加される電圧は逆方向バイアスであることを特徴とする発光装置の駆動方法。
【請求項３】
１フレーム期間に第１の期間と第２の期間と第３の期間とが出現する発光装置の駆動方法であって、
前記第１、前記第２及び前記第３の期間において、前記発光装置が有する第１のトランジスタと第２のトランジスタはゲートが互いに接続されており、前記第２のトランジスタの第２の端子は前記発光装置が有する発光素子の画素電極に接続されており、
前記第１の期間において、ビデオ信号の電圧によって定められた電流が前記第１のトランジスタの第１の端子と第２の端子の間に流れ、前記第１及び前記第２のトランジスタの第１の端子に第１の電圧が印加され、なおかつ前記第１のトランジスタのゲートと第２の端子が接続されており、
前記第２の期間において、前記第１のトランジスタの第２の端子と前記第１のトランジスタのゲートが電気的に分離され、なおかつ前記第１及び前記第２のトランジスタの第１の端子に前記第１の電圧が印加され、
前記第３の期間において、前記第１のトランジスタのゲートと前記第１のトランジスタの第２の端子が接続されており、前記第１及び第２のトランジスタのゲートに第２の電圧が印加されることで前記第２のトランジスタがオンになり、なおかつ前記第１及び第２のトランジスタの第１の端子に第３の電圧が印加され、
前記第１の電圧と前記第３の電圧は、前記発光素子の対向電極の電圧を基準として極性が逆になっており、
前記第３の期間において前記発光素子に印加される電圧は逆方向バイアスであることを特徴とする発光装置の駆動方法。
【請求項４】
１フレーム期間に第１の期間と第２の期間と第３の期間とが出現する発光装置の駆動方法であって、
前記第１、前記第２及び前記第３の期間において、前記発光装置が有する第１のトランジスタと第２のトランジスタはゲートが互いに接続されており、前記第１のトランジスタと前記第２のトランジスタの第１の端子は前記発光装置が有する第３のトランジスタの第２の端子に接続されており、前記第３のトランジスタの第１の端子は前記発光装置が有する発光素子の画素電極に接続されており、
前記第１の期間において、ビデオ信号の電圧によって定められた電流が前記第１のトランジスタの第１の端子と第２の端子の間に流れ、前記第１のトランジスタの第２の端子に第１の電圧が印加され、前記第１のトランジスタのゲートと前記第１のトランジスタの第２の端子が接続されており、なおかつ前記第３のトランジスタがオフになり、
前記第２の期間において、前記第１のトランジスタのゲートと前記第１のトランジスタの第２の端子が電気的に分離され、前記第１及び前記第２のトランジスタの第２の端子に前記第１の電圧が印加され、なおかつ前記第３のトランジスタがオンになり、
前記第３の期間において、前記第１のトランジスタのゲートと前記第１のトランジスタの第２の端子が接続されており、前記第１及び第２のトランジスタのゲートに第２の電圧が印加されることで前記第２のトランジスタがオンになり、なおかつ前記第１のトランジスタの第２の端子に第３の電圧が印加され、なおかつ前記第３のトランジスタがオンになり、
前記第１の電圧と前記第３の電圧は、前記発光素子の対向電極の電圧を基準として極性が逆になっており、
前記第３の期間において前記発光素子に印加される電圧は逆方向バイアスであることを特徴とする発光装置の駆動方法。
【請求項５】
１フレーム期間に第１の期間と第２の期間と第３の期間とが出現する発光装置の駆動方法であって、
前記第１、前記第２及び前記第３の期間において、前記発光装置が有する第１のトランジスタと第２のトランジスタはゲートが互いに接続されており、前記第２のトランジスタの第１の端子は前記発光装置が有する第３のトランジスタの第２の端子に接続されており、前記第３のトランジスタの第１の端子は前記発光装置が有する発光素子の画素電極に接続されており、
前記第１の期間において、ビデオ信号の電圧によって定められた電流が前記第１のトランジスタの第１の端子と第２の端子の間に流れ、前記第１のトランジスタ及び第２のトランジスタの第２の端子に第１の電圧が印加され、前記第１のトランジスタのゲートと前記第１のトランジスタの第２の端子が接続されており、なおかつ前記第３のトランジスタがオフになり、
前記第２の期間において、前記第１のトランジスタのゲートと前記第１のトランジスタの第２の端子が電気的に分離され、前記第１及び前記第２のトランジスタの第２の端子に前記第１の電圧が印加され、なおかつ前記第３のトランジスタがオンになり、
前記第３の期間において、前記第１のトランジスタのゲートと前記第１のトランジスタの第２の端子が接続されており、前記第１及び第２のトランジスタのゲートに第２の電圧が印加されることで前記第２のトランジスタがオンになり、なおかつ前記第１のトランジスタ及び前記第２のトランジスタの第２の端子に第３の電圧が印加され、なおかつ前記第３のトランジスタがオンになり、
前記第１の電圧と前記第３の電圧は、前記発光素子の対向電極の電圧を基準として極性が逆になっており、
前記第３の期間において前記発光素子に印加される電圧は逆方向バイアスであることを特徴とする発光装置の駆動方法。
【請求項６】
１フレーム期間に第１の期間と第２の期間と第３の期間とが出現する発光装置の駆動方法であって、
前記第１、前記第２及び前記第３の期間において、前記発光装置が有する第１のトランジスタと第２のトランジスタはゲートが互いに接続されており、前記第２のトランジスタの第２の端子は前記発光装置が有する発光素子の画素電極に接続されており、
前記第１の期間において、前記第１のトランジスタのゲートと前記第１のトランジスタの第２の端子が接続され、ビデオ信号の電圧によって定められた電流が前記第１のトランジスタの第１の端子と第２の端子の間に流れ、なおかつ前記第１及び前記第２のトランジスタの第１の端子に第１の電圧が印加され、
前記第２の期間において、前記第１のトランジスタのゲートと前記第１のトランジスタの第２の端子が電気的に分離され、前記第１のトランジスタ及び前記第２のトランジスタのゲートが、前記発光装置が有する第３のトランジスタのゲートと接続され、前記第１のトランジスタの第２の端子と前記第３のトランジスタの第１の端子とが接続され、前記第３のトランジスタの第２の端子と前記発光素子の画素電極とが接続され、なおかつ前記第１及び前記第２のトランジスタの第１の端子に前記第１の電圧が印加され、
前記第３の期間において、前記第１のトランジスタのゲートと前記第１のトランジスタの第２の端子が接続され、前記第１及び第２のトランジスタのゲートに第２の電圧が印加されることで前記第２のトランジスタがオンになり、なおかつ前記第１及び第２のトランジスタの第１の端子に第３の電圧が印加され、前記第１のトランジスタの第２の端子が前記発光素子の画素電極と電気的に分離し、
前記第１の電圧と前記第３の電圧は、前記発光素子の対向電極の電圧を基準として極性が逆になっており、
前記第３の期間において前記発光素子に印加される電圧は逆方向バイアスであることを特徴とする発光装置の駆動方法。
【請求項７】
請求項１乃至６のいずれか一項において、前記第１のトランジスタと前記第２のトランジスタは極性が同じであることを特徴とする発光装置の駆動方法。